(57)【特許請求の範囲】
【請求項１】
シート部と、前記シート部の上側に左右に離間して設けられた、開口部が対向する二つの袋部とを有する防漏体と、
前記二つの袋部のそれぞれに少なくとも１層配置された、高吸水性樹脂を含有し体液を吸収しうる吸収体と、
前記二つの袋部のそれぞれに配置された前記吸収体の間にわたって配置された、開孔と体液を移動させるための流路とを有する第１ガイドシートと、
前記第１ガイドシートの上側に、着用時に着用者の尿道口の両側に位置するように、左右に離間して設けられた二つのクッション性帯状体と
を具備する吸収体物品。
【請求項２】
更に、前記二つのクッション性帯状体の上側に左右に離間して設けられた、前記二つのクッション性帯状体の内側縁部から前記二つの袋部の内部までそれぞれ延在する、体液を移動させるための流路を有する二つの第２ガイドシートを有する請求項１に記載の吸収体物品。
【請求項３】
前記第２ガイドシートが開孔と体液を移動させるための流路とを有する請求項２に記載の吸収体物品。
【請求項４】
前記第２ガイドシートの下側かつ前記クッション性帯状体の上側に、更に、体液不透過性シートが積層されている請求項３に記載の吸収体物品。
【請求項５】
前記二つの袋部が左右対称である、請求項１〜４のいずれかに記載の吸収体物品。
【請求項６】
前記吸収体がシート状吸収体である、請求項１〜５のいずれかに記載の吸収体物品。
【請求項７】
前記シート状吸収体が、前記高吸水性樹脂を５０質量％以上含有する、請求項６に記載の吸収体物品。
【請求項８】
前記シート状吸収体が、前記袋部において複数層配置されている、請求項６または７に記載の吸収体物品。
【請求項９】
前記シート状吸収体が、前記袋部において折りたたまれて配置されている、請求項６〜８のいずれかに記載の吸収体物品。
【請求項１０】
更に、少なくとも前記防漏体の前記二つの袋部の間に、スキンコンタクトシートを有する請求項１〜９のいずれかに記載の吸収体物品。
【請求項１１】
更に、前記防漏体の前記二つの袋部の間の前側および後側を被覆する体液不透過性シートを有する請求項１〜１０のいずれかに記載の吸収体物品。
【請求項１２】
前記二つの袋部の開口部の上部の周縁の少なくとも一部に、更に、周縁部形態保持材を有する請求項１〜１１のいずれかに記載の吸収体物品。
【請求項１３】
前記二つの袋部の開口部の上部の周縁の少なくとも一部と、前記防漏体の前記二つの袋部の間の前側および後側を被覆する体液不透過性シートの上部の周縁の少なくとも一部とに、更に、周縁部形態保持材を有する請求項１１に記載の吸収体物品。
【請求項１４】
前記周縁部形態保持材が、前記二つの袋部の開口部の上部の周縁の下側に配置されている請求項１２または１３に記載の吸収体物品。
【請求項１５】
前記周縁部形態保持材が、前記周縁が上方に立ち上がるように配置されている請求項１２〜１４のいずれかに記載の吸収体物品。
【請求項１６】
前記防漏体の前記二つの袋部の間の前側に、更に、前方への体液の漏洩を防止するための前方防漏部を有する請求項１〜１５のいずれかに記載の吸収体物品。
【請求項１７】
前記前方防漏部が、少なくとも１層の高吸水性樹脂を含有し体液を吸収しうる吸収体を有する袋部からなる請求項１６に記載の吸収体物品。
【請求項１８】
前記前方防漏部が、前方体液ストップ部材からなる請求項１６に記載の吸収体物品。
【請求項１９】
前記前方防漏部が、少なくとも１層の高吸水性樹脂を含有し体液を吸収しうる吸収体を有する袋部と、前方体液ストップ部材との組み合わせからなる請求項１６に記載の吸収体物品。
【請求項２０】
前記防漏体の前記二つの袋部の間の後側に、更に、後方への体液の漏洩を防止するための後方防漏部を有する請求項１〜２０のいずれかに記載の吸収体物品。
【請求項２１】
前記後方防漏部が、後方体液ストップ部材からなる請求項２０に記載の吸収体物品。
【請求項２２】
前記二つのクッション性帯状体が左右方向の貫通路を形成する請求項１〜２１のいずれかに記載の吸収体物品。
【請求項２３】
更に、便処理部を有する、請求項１〜２２のいずれかに記載の吸収体物品。
【発明の詳細な説明】
【技術分野】
【０００１】
本発明は、新規吸収体物品に関する。
【背景技術】
【０００２】
紙おむつ、生理用ナプキン、失禁用品等の吸収体物品は、高吸水性樹脂（Ｓｕｐｅｒ  Ａｂｓｏｒｂｅｎｔ  Ｐｏｌｙｍｅｒ、以下「ＳＡＰ」ともいう。）を用いた吸収体により、着用者から排出された尿等の体液を吸収する物品である。従来の吸収体物品は、体液を主に股下部（クロッチ）において吸収する構造であった。
しかしながら、股下部が狭窄であるため、従来の吸収体物品は、着用時、着用者に不快感を与えるという問題を有していた。この不快感は、吸収体が体液を吸収して膨潤した後において顕著であった。
また、従来の吸収体物品は、尿道口（外尿道口）および肛門を覆う構造であるため、尿と便（大便）とを分離して処理することが困難である。吸収体物品の使用中に尿と便とが混じり合うと、かぶれ、臭い等が生じるという問題がある。
【発明の開示】
【発明が解決しようとする課題】
【０００３】
したがって、本発明の目的は、着用時、特に吸収体が体液を吸収して膨潤した後において、着用者に不快感を与えず、かつ、尿便分離処理が可能な吸収体物品を提供することである。
【課題を解決するための手段】
【０００４】
本発明者は、上記目的を達成すべく鋭意研究した結果、新規構造を有する吸収体物品を完成させた。
【０００５】
即ち、本発明は、以下の（１）〜（２３）を提供する。
【０００６】
（１）シート部と、前記シート部の上側に左右に離間して設けられた、開口部が対向する二つの袋部とを有する防漏体と、
前記二つの袋部のそれぞれに少なくとも１層配置された、高吸水性樹脂を含有し体液を吸収しうる吸収体と、
前記二つの袋部のそれぞれに配置された前記吸収体の間にわたって配置された、開孔と体液を移動させるための流路とを有する第１ガイドシートと、
前記第１ガイドシートの上側に、着用時に着用者の尿道口の両側に位置するように、左右に離間して設けられた二つのクッション性帯状体と
を具備する吸収体物品。
【０００７】
（２）更に、前記二つのクッション性帯状体の上側に左右に離間して設けられた、前記二つのクッション性帯状体の内側縁部から前記二つの袋部の内部までそれぞれ延在する、体液を移動させるための流路を有する二つの第２ガイドシートを有する上記（１）に記載の吸収体物品。
【０００８】
（３）前記第２ガイドシートが開孔と体液を移動させるための流路とを有する上記（２）に記載の吸収体物品。
【０００９】
（４）前記第２ガイドシートの下側かつ前記クッション性帯状体の上側に、更に、体液不透過性シートが積層されている上記（３）に記載の吸収体物品。
【００１０】
（５）前記二つの袋部が左右対称である、上記（１）〜（４）のいずれかに記載の吸収体物品。
【００１１】
（６）前記吸収体がシート状吸収体である、上記（１）〜（５）のいずれかに記載の吸収体物品。
【００１２】
（７）前記シート状吸収体が、前記高吸水性樹脂を５０質量％以上含有する、上記（６）に記載の吸収体物品。
【００１３】
（８）前記シート状吸収体が、前記袋部において複数層配置されている、上記（６）または（７）に記載の吸収体物品。
【００１４】
（９）前記シート状吸収体が、前記袋部において折りたたまれて配置されている、上記（６）〜（８）のいずれかに記載の吸収体物品。
【００１５】
（１０）更に、少なくとも前記防漏体の前記二つの袋部の間に、スキンコンタクトシートを有する上記（１）〜（９）のいずれかに記載の吸収体物品。
【００１６】
（１１）更に、前記防漏体の前記二つの袋部の間の前側および後側を被覆する体液不透過性シートを有する上記（１）〜（１０）のいずれかに記載の吸収体物品。
【００１７】
（１２）前記二つの袋部の開口部の上部の周縁の少なくとも一部に、更に、周縁部形態保持材を有する上記（１）〜（１１）のいずれかに記載の吸収体物品。
【００１８】
（１３）前記二つの袋部の開口部の上部の周縁の少なくとも一部と、前記防漏体の前記二つの袋部の間の前側および後側を被覆する体液不透過性シートの上部の周縁の少なくとも一部とに、更に、周縁部形態保持材を有する上記（１１）に記載の吸収体物品。
【００１９】
（１４）前記周縁部形態保持材が、前記二つの袋部の開口部の上部の周縁の下側に配置されている上記（１２）または（１３）に記載の吸収体物品。
【００２０】
（１５）前記周縁部形態保持材が、前記周縁が上方に立ち上がるように配置されている上記（１２）〜（１４）のいずれかに記載の吸収体物品。
【００２１】
（１６）前記防漏体の前記二つの袋部の間の前側に、更に、前方への体液の漏洩を防止するための前方防漏部を有する上記（１）〜（１５）のいずれかに記載の吸収体物品。
【００２２】
（１７）前記前方防漏部が、少なくとも１層の高吸水性樹脂を含有し体液を吸収しうる吸収体を有する袋部からなる上記（１６）に記載の吸収体物品。
【００２３】
（１８）前記前方防漏部が、前方体液ストップ部材からなる上記（１６）に記載の吸収体物品。
【００２４】
（１９）前記前方防漏部が、少なくとも１層の高吸水性樹脂を含有し体液を吸収しうる吸収体を有する袋部と、前方体液ストップ部材との組み合わせからなる上記（１６）に記載の吸収体物品。
【００２５】
（２０）前記防漏体の前記二つの袋部の間の後側に、更に、後方への体液の漏洩を防止するための後方防漏部を有する上記（１）〜（２０）のいずれかに記載の吸収体物品。
【００２６】
（２１）前記後方防漏部が、後方体液ストップ部材からなる上記（２０）に記載の吸収体物品。
【００２７】
（２２）前記二つのクッション性帯状体が左右方向の貫通路を形成する上記（１）〜（２１）のいずれかに記載の吸収体物品。
【００２８】
（２３）更に、便処理部を有する、上記（１）〜（２２）のいずれかに記載の吸収体物品。
【発明の効果】
【００２９】
本発明の吸収体物品は、着用時、特に吸収体が体液を吸収して膨潤した後において、着用者に不快感を与えず、かつ、尿便分離処理が可能である。しかも、尿道口が吸収体物品と直接接触せず、または、接触しても尿道口に強い圧力がかからないため、尿道口への圧迫感もない。したがって、本発明の吸収体物品は、女性用の尿処理用品または尿便処理可能なおむつ等として好適に用いられる。
【発明を実施するための最良の形態】
【００３０】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間して示すことがある。
図１は、本発明の吸収体物品の例を示す模式図である。図１（Ａ）は平面図であり、図１（Ｂ）は図１（Ａ）中のＩＢ−ＩＢ線に沿った横端面図である。図１（Ａ）においては、スキンコンタクトシート８０は省略してある。
なお、添付した図面中の各平面図においては、図の上側に吸収体物品等の前側が位置するように図示してある。
【００３１】
本発明の吸収体物品１００は、基本的に、シート部２０と、シート部２０の上側に左右に離間して設けられた、開口部が対向する二つの袋部３０とを有する防漏体１０と、二つの袋部３０のそれぞれに少なくとも１層配置された、高吸水性樹脂を含有し体液を吸収しうる吸収体４０と、二つの袋部３０のそれぞれに配置される吸収体４０の間にわたって配置される、開孔と体液を移動させるための流路とを有する第１ガイドシート５０と、第１ガイドシート５０の上側に左右に離間して設けられた二つのクッション性帯状体６０とを具備する。
【００３２】
防漏体１０は、上述したように、シート部２０と、二つの袋部３０とを有する。シート部２０および二つの袋部３０の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
また、前記樹脂のフィルムを用いる場合には、感触や外観を向上させるために、フィルムと不織布との複層シートとして用いることもできる。この場合、不織布としては、比較的低目付のＳＢ、ＳＭＳ、サーマルボンド不織布等が好適に用いられる。
【００３３】
シート部２０と二つの袋部３０とは、一体的に構成されていてもよく、別々の部材を結合させることにより構成されていてもよい。また、シート部２０および二つの袋部３０は、いずれも複数の部材から構成されていてもよい。
シート部２０の形状は、特に限定されない。シート部２０は、図１に示されるように、ほぼ平面状であってもよく、折り曲げられていてもよい。
二つの袋部３０は、シート部２０の上側に左右に離間して設けられており、開口部が対向した状態で設けられる。二つの袋部３０は、左右対称であるのが好ましい。
また、二つの袋部３０は、前部および／または後部において、連結されていてもよい。図１に示される実施形態においては、二つの袋部３０は、後部において連結されている。
【００３４】
本発明に用いられる吸収体４０は、体液を吸収しうるものであれば特に限定されず、例えば、粉体状吸収体を用いることもできるが、形態安定性、脱落の可能性等を考慮すると、シート状吸収体が好ましい。
シート状吸収体の中でも、ＳＡＰを５０質量％以上、好ましくは６０〜９５質量％含有する高吸水性シートであるのが好ましい。
【００３５】
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。
高吸水性シートは、ＳＡＰを主成分とする極薄のシート状吸収体であれば、構成や製造方法を特に限定されない。
例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰが知られている。
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。
【００３６】
高吸水性シートは、二つの袋部３０のそれぞれに少なくとも１層配置される。即ち、袋部３０に配置される高吸水性シートは、１層であってもよく、２層以上（複数層）であってもよい。
また、高吸水性シートは、折りたたんだ状態で袋部３０に配置することもできる。
【００３７】
第１ガイドシート５０は、二つの袋部３０のそれぞれに配置される吸収体４０の間にわたって配置される。
第１ガイドシート５０は、開孔と体液を移動させるための流路とを有する。着用者の尿道口ｍから防漏体１０の二つの袋部３０の間（以下「体液受容領域」という。）に排出された尿は、第１ガイドシート５０の開孔を通ってその下側に移動し、更に、第１ガイドシート５０の流路を通って、速やかに吸収体４０に移動する。したがって、着用者は股下部において不快感を感じない。
【００３８】
また、第１ガイドシート５０は、二つの袋部３０のそれぞれに配置される吸収体４０間での体液の移動を可能とするのが好ましい。
吸収体物品を使用する際、着用者の姿勢、着用位置等により、二つの袋部に配置される吸収体に吸収される体液の量が大幅に偏ってしまうことがある。このような場合、本発明の吸収体物品がガイドシートを有すると、体液を多く吸収した吸収体から少ない方へと、体液が移動し、その結果、偏りが緩和される。これにより、吸収体物品の実質的な体液吸収量および使用可能時間が長くなる。
【００３９】
第１ガイドシート５０は、開孔と体液の移動を可能とする流路を有する構造であれば特に限定されないが、体液吸収性や体液保持性を有しないのが、体液の移動が速やかに行われる点で好ましい。具体的には、後述する凸部に開孔を有する凹凸シート部材（以下「開孔凹凸シート部材」という。）が好適に挙げられる。
【００４０】
図２は、凸部の全部に開孔を有する開孔凹凸シート部材の例を示す模式的な斜視図である。図２に示される開孔凹凸シート部材である第１ガイドシート５０は、凸部を形成する多数の突起５１を有しており、各突起５１はその頂点に開孔５２を有している。開孔凹凸シート部材においては、凸部の一部に開孔を有していてもよく、凸部の全部に開孔を有していてもよい。
開孔凹凸シート部材は、凹部と凸部を有する凹凸面を少なくとも一つの面として有する。開孔凹凸シート部材においては、多数の凹部が連なって体液の流路として機能する。開孔凹凸シート部材は、凸部が使用時に多少つぶれたとしても、体液の流通が阻害されないという利点を有する。
また、開孔凹凸シート部材においては、開孔も体液の流路として機能する。
本発明においては、開孔凹凸シート部材を、開孔の広い方の面（図２中、見えていない面）を着用者側にして用いるのが好ましい。後述するように、第１ガイドシート５０に供給された体液は、開孔を通じて第１ガイドシート５０の下側に移動した後、吸収体４０へと移動する。したがって、開孔凹凸シート部材を、開孔の広い方を着用者側（上側）にすると、下側に凹部の連なりができ、体液の流路として十分に機能を発揮する。
【００４１】
開孔凹凸シート部材の材料としては、例えば、ＰＥ、ＰＰ、ＰＶＡ、ウレタン等の樹脂からなる体液不透過性のフィルムが挙げられる。
開孔凹凸シート部材の具体例としては、本発明者が国際公開第０２／０６５９６５号パンフレットにおいて提案したものが挙げられる。
【００４２】
ガイドシートとして開孔凹凸シート部材を用いる場合、開孔に体液が残存する、液残りが生じ、いわゆるリウェット値が悪くなることがある。この場合、開孔凹凸シート部材の下側に、親水性拡散シートを組み合わせて用いるのが好ましい。これにより、開孔に存在する体液が、親水性拡散シートに浸透して移動するので、リウェット値が大幅に低くなる。また、開孔凹凸シート部材が防漏体とずれることが防止され、形状安定性も向上する。
【００４３】
親水性拡散シートとしては、比較的目付の低い親水性不織布状物が好適に用いられる。親水性不織布状物としては、例えば、レーヨン、コットン、木材パルプ等を含有させたティッシュまたは親水性不織布が挙げられる。具体的には、ティッシュペーパー、レーヨンスパンボンド（例えば、ＴＣＦ、二村化学社製）、コットンスパンレース、レーヨン／ＰＰ混合スパンレース、レーヨン／ＰＥＴ混合スパンレースが挙げられる。
また、ＰＰ、ＰＥまたはＰＥＴのスパンボンド不繊布、ＰＰのサーマルポンド不繊布、ＰＥ／ＰＥＴのスルーエア不織布等の合繊不織布を界面活性剤等で表面処理することにより親水化した不繊布も挙げられる。
開孔凹凸シート部材と親水性拡散シートとは、単に重ね合わせて積層してもよく、ホットメルト、熱ラミネート等により複合化してもよい。
【００４４】
親水性拡散シートの下側には、体液不透過性シートを組み合わせて用いるのが好ましい。これにより、体液が親水性拡散シートと防漏体のシート部との間に一時的にも貯留されず、速やかに防漏体の袋部へと移動するようになる。体液不透過性シートの材料としては、例えば、ＰＥ、ＰＰ、ＰＶＡ、ウレタン等の樹脂からなるフィルムが挙げられる。
親水性拡散シートと体液不透過性シートとは、単に重ね合わせて積層してもよく、ホットメルト、熱ラミネート等により複合化してもよい。
また、親水性拡散シートを用いずに、開孔凹凸シート部材と体液不透過性シートとを組み合わせて用いてもよい。図１においては、開孔凹凸シート部材からなる第１ガイドシート５０の下側に体液不透過性シート５５が積層されている。
開孔凹凸シート部材と体液不透過性シートとは、単に重ね合わせて積層してもよく、ホットメルト、熱ラミネート等により複合化してもよい。
【００４５】
二つのクッション性帯状体６０は、第１ガイドシート５０の上側に左右に離間して設けられる。このクッション性帯状体６０は、本発明の吸収体物品の着用時において、尿道口の両側に位置してその上表面が着用者の体と接触して、吸収体物品を弾力的に固定し、尿道口が吸収体物品と直接接触しないように、または、接触しても尿道口に強い圧力がかからないようにする。このようにすることにより、着用時における尿道口への圧迫感をなくすことができる。また、二つのクッション性帯状体６０の間に形成される空間が、尿の流路となるため、着用者の尿道口およびその周囲が濡れるだけで、その他の部位を濡らすことなく、排尿することができる。
【００４６】
クッション性帯状体６０の材料としては、例えば、比較的硬度の低い合成ゴムシート、弾性チューブ、発泡体（例えば、ＰＵ、ＰＰ、ＰＰ／ＥＶＡ製）、嵩高で圧縮抵抗性（いわゆるレジリエンス（ｒｅｓｉｌｉｅｎｃｅ））の高い不織布が挙げられる。
【００４７】
図３は、クッション性帯状体の例を示す模式的な斜視図である。
図３に示される二つのクッション性帯状体６０は、いずれも、左右方向の幅がａであり、前後方向の長さがｂであり、上下方向の高さがｃであり、また、両者の距離はｄである。
二つのクッション性帯状体６０の幅ａは、５ｍｍ以上であるのが好ましく、１０〜５０ｍｍであるのがより好ましい。上記範囲であると、着用者の体表面をより安定的に支持することができる。
二つのクッション性帯状体６０の長さｂは、２０ｍｍ以上であるのが好ましく、５０〜１５０ｍｍであるのがより好ましい。上記範囲であると、着用者の体表面をより安定的に支持することができる。
二つのクッション性帯状体６０の高さｃは、着用時に本発明の吸収体物品が逆Ｖ字型に変形したときに、尿道口と接触しない程度にする必要がある。したがって、高さｃは、クッション性帯状体６０のクッション性により適宜選択する必要があるが、一般的に、２ｍｍ以上であるのが好ましく、５ｍｍ以上であるのがより好ましい。上記範囲であると、着用者の体表面をより安定的に支持することができる。また、コストの点で、１５ｍｍ以下であるのが好ましい。
【００４８】
二つのクッション性帯状体６０の距離ｄは、５ｍｍ以上であるのが好ましく、７〜３０ｍｍであるのがより好ましく、１０〜２５ｍｍであるのが更に好ましい。
上記範囲であると、尿道口が吸収体物品に接触することを確実に防止することができる。また、小陰唇が吸収体物品に接触することも防止することができる。尿道口および小陰唇が非接触で保たれると、尿道口への圧迫感がなく、尿の排出状態に影響を与えないうえに、敏感な部分への圧迫がなく、不快感がない。また、かぶれも生じにくい。更に、着用時に本発明の吸収体物品が逆Ｖ字型に変形したときに、高さｃをあまり高くしなくても非接触の状態を保つことができる。
【００４９】
また、本発明の吸収体物品１００は、図１（Ｂ）に示されるように、更に、スキンコンタクトシート８０を具備するのが好ましい。スキンコンタクトシート８０を具備すると、着用時の表面感触が優れたものになる。特に、第１ガイドシート５０および後述する第２ガイドシート７０が凹凸を有し、表面感触が硬い場合には、表面感触の改善効果が大きい。
スキンコンタクトシートは、体液透過性であれば特に限定されず、従来トップシートとして用いられてきた公知のものを用いることができる。具体的には、例えば、ＰＰ不織布、ＰＥＴ不織布、ＰＥ不織布等の合成繊維の不織布を用いることができる。また、レーヨン、コットン等の親水性繊維と合成繊維とを混合してなる乾式不織布を用いることもできる。
スキンコンタクトシート８０は、着用者の体表面に直接接触する部分にのみ配置すればよい。具体的には、防漏体１０の二つの袋部３０の間に配置されるのが好ましい。例えば、図１（Ｂ）に示されるように、二つのクッション性帯状体６０の上にわたって配置する。または、後述する図５（Ｂ）に示されるように、二つの第２ガイドシート７０の上にわたって配置する。
【００５０】
また、本発明の吸収体物品１００は、図１に示されるように、二つの袋部３０の開口部の上部の周縁の少なくとも一部に、更に、周縁部形態保持材９０を有するのが好ましい態様の一つである。
周縁部形態保持材９０は、二つの袋部３０の開口部の上部の周縁の形態を保持させる機能を有する。これにより、二つのクッション性帯状体６０の間の空間に排出された尿が、二つのクッション性帯状体６０の上側を通って二つの袋部３０の内部へと移動することが容易になる。また、着用時に着用者の性器が二つの袋部３０の開口部の上部の周縁の間に収容されて、ずれにくくなる。これにより、尿が体液受容領域の外側に漏れることが防止される。更に、着用時に、上記周縁において、不均一で大きな凹凸が生じることを防止することができる。
周縁部形態保持材９０の材料としては、クッション性（弾性）と、ある程度の厚さがあるのが好ましい。例えば、発泡体（例えば、ＰＵ、ＰＰ、ＰＰ／ＥＶＡ製）、合成ゴムシート、伸縮性弾性フィルム、ゴムフィラメント、ポリウレタンフィラメントが好適に挙げられる。
【００５１】
つぎに、吸収体物品１００の作用について説明する。
図４は、本発明の吸収体物品の作用を説明する模式図である。図４（Ａ）は吸収体物品の斜視図であり、図４（Ｂ）は図４（Ａ）中のＩＶＢ−ＩＶＢ線に沿った横断面図である。なお、図４においては、本発明の吸収体物品１００の構成部材のうち、第１ガイドシート５０、クッション性帯状体６０および体液不透過性シート５５のみを示している。
【００５２】
吸収体物品１００は、着用者の性器が防漏体１０の二つの袋部３０の開口部の上部の周縁の間に位置するような状態で、着用される。このとき、尿道口ｍは、防漏体１０の二つの袋部３０の間に位置し、袋部３０は、着用者の両脚の付け根の内側に密着する。
そして、着用者の尿道口ｍから、第１ガイドシート５０の上側の中央部に排出された尿は、第１ガイドシート５０と二つのクッション性帯状体６０とにより、安定的に形成された空間に一時的に貯留される。
その後、尿は、図４中、矢印で示されるように、いくつかの経路を通って両側の袋部３０へと流れていく。
第１の経路は、第１ガイドシート５０の開孔を通って第１ガイドシート５０の上側から下側へと移動し、重力に従って、第１ガイドシート５０の流路を通って、クッション性帯状体６０の下を通過し、更に、外側へと移動する経路である。
第２の経路は、第１ガイドシート５０の上側から、重力に従って、クッション性帯状体６０の上を通過し、更に、外側へと移動する経路である。
ここで、尿は、これらのような左右の移動とともに、尿道口ｍから排出された直後に第１ガイドシート５０の上側に一時的に貯留されている際や、第１ガイドシート５０の流路やクッション性帯状体６０の上側を流れている際において、前後にも移動する。
【００５３】
袋部３０へと流れた尿は、吸収体４０に吸収される。吸収体４０の吸収速度を超える速度で尿が供給された場合は、吸収体４０に吸収されなかった尿が一旦袋部３０の中に貯留され、その後、吸収体４０に吸収されることとなる。
【００５４】
本発明の吸収体物品は、上述したように、着用時に主に股下部以外の部分に吸収体が存在するため、特に、吸収体が体液を吸収して膨潤した後において、従来の吸収体物品で顕著であった不快感がない。しかも、尿道口が吸収体物品と直接接触せず、または、接触しても尿道口に強い圧力がかからないため、尿道口への圧迫感もない。
また、本発明の吸収体物品は、尿道口の周辺だけを覆う構造であればよいため、尿と便とを分離して処理することができる。
更に、本発明の吸収体物品において、二つの袋部の開口部の上部の周縁の少なくとも一部に、更に、周縁部形態保持材を有する場合には、尿が体液受容領域の外側に漏れることが防止され、確実に袋部へと流れ、吸収体に吸収される。
【００５５】
以下、本発明の好適実施形態の他の例を挙げて、より詳細に説明する。
図５は、本発明の吸収体物品の他の例を示す模式図である。図５（Ａ）は部分切欠平面図であり、図５（Ｂ）は図５（Ａ）中のＶＢ−ＶＢ線に沿った横端面図である。図５（Ａ）においては、スキンコンタクトシート８０は省略してある。
【００５６】
本発明の吸収体物品２００は、基本的に、上述した本発明の吸収体物品１００と同様の構成であるが、更に、二つのクッション性帯状体６０の上側に左右に離間して設けられた、シート部２０の中央部から二つの袋部３０の内部まで延在する、体液を移動させるための流路を有する二つの第２ガイドシート７０を具備し、体液受容領域の前側に前方への体液の漏洩を防止するための前方防漏部１１０を有し、体液受容領域の後側に後方への体液の漏洩を防止するための後方体液ストップ部材１２０を有している。
【００５７】
二つの第２ガイドシート７０は、二つのクッション性帯状体６０の上側に左右に離間して設けられ、シート部２０の中央部から二つの袋部３０の内部まで延在する、体液を移動させるための流路を有する。この二つの第２ガイドシート７０は、左右に離間して設けられているため、尿道口と直接接触しない。
第２ガイドシート７０は、体液を移動させるための流路を有するものであれば特に限定されない。例えば、開孔凹凸シート部材、凹凸シート部材、溝状構造を有するシート部材、不織布シート部材が挙げられる。これらは、単独でまたは２種以上を組み合わせて用いられる。
【００５８】
開孔凹凸シート部材としては、第１ガイドシート５０に用いられるのと同様のものが挙げられる。第２ガイドシート７０として、開孔凹凸シート部材を用いる場合には、第１ガイドシート５０の場合と同様に、親水性拡散シートおよび／または体液不透過性シートと組み合わせて用いることができる。図５においては、開孔凹凸シート部材からなる第２ガイドシート７０の下側に体液不透過性シート７５が積層されている。
体液不透過性シート７５は、第２ガイドシート７０が開孔凹凸シート部材である場合に、尿が開孔凹凸シート部材（第２ガイドシート７０）の開孔を通じて逆流することを防止する。特に、横臥位において、その効果が大きい。
【００５９】
図６は、溝状構造を有するシート部材の例を示す模式的な斜視図である。シート部材７１は、溝状構造７２を有しており、この溝状構造７２が体液の流路として機能する。
溝状構造を有するシート部材は、例えば、熱成形性を有する体液不透過性のフィルムに流路として機能する溝状構造を熱成形で付与する方法により得られる。
【００６０】
図７は、凹凸シート部材の例を示す模式的な斜視図である。図７に示される凹凸シート部材７３は、凸部を形成する多数の突起７４を有している。
凹凸シート部材は、凹部と凸部を有する凹凸面を少なくとも一つの面として有する。凹凸シート部材においては、多数の凹部が連なって体液の流路として機能する。凹凸シート部材は、凸部が使用時に多少つぶれたとしても、体液の流通が阻害されないという利点を有する。
凹凸シート部材の材料としては、例えば、ＰＥ、ＰＰ、ＰＶＡ、ウレタン等の樹脂からなる体液不透過性のフィルムが挙げられる。
【００６１】
不織布シート部材においては、その内部空隙が体液の流路として機能する。不織布シート部材は、レジリエンスが大きいものが好ましい。例えば、本発明者が特開２００３−１０３７０４号公報および特開２００３−１０３６７７号公報において提案した、表面が平滑なペーパー層または不織布層と表面が嵩高で凹凸のある繊度の太い繊維ウェブとを積層して一体化した不織布が好適に用いられる。
【００６２】
本発明の吸収体物品２００においては、吸収体物品１００における二つの吸収体４０の代わりに、連結された吸収体４１を有する。吸収体物品２００においては、着用者の体位等により、尿の供給量が左右方向で異なった場合であっても、二つの袋部３０に配置された吸収体４１が連結されているため、比較的均等な吸収が可能となり、可使時間が長くなる。
【００６３】
本発明の吸収体物品２００においては、周縁部形態保持材９１が、二つの袋部３０の開口部の上部の周縁が上方に立ち上がるように配置されている。
このような構造にすることにより、着用時に着用者の性器（外生殖器および陰毛）が二つの袋部３０の開口部の上部の周縁の間に収容されやすくなる。これにより、尿が体液受容領域の外側に漏れることがより効果的に防止される。
また、このような構造にすることにより、袋部３０の開口部の上部と第２ガイドシート７０との間隔が広くなるため、尿が左右に流れやすくなり、吸収が速くなる。
このように二つの袋部３０の開口部の上部の周縁を内側に向けて持ち上げる方法は、特に限定されず、例えば、図５（Ａ）に示されるように、周縁をギャザー状にする方法が好適に挙げられる。
【００６４】
図８は、本実施形態の吸収体物品の作用を説明する模式図である。図８（Ａ）は吸収体物品の斜視図であり、図８（Ｂ）は図８（Ａ）中のＶＩＩＩＢ−ＶＩＩＩＢ線に沿った横断面図である。なお、図８においては、本発明の吸収体物品２００の構成部材のうち、第１ガイドシート５０、クッション性帯状体６０、第２ガイドシート７０ならびに体液不透過性シート５５および７５のみを示している。
【００６５】
吸収体物品２００は、吸収体物品１００と同様に着用される。
着用者の尿道口ｍから、第１ガイドシート５０の上側の中央部に排出された尿は、図８中、矢印で示されるように、いくつかの経路を通って両側の袋部３０へと流れていく。
第１の経路は、吸収体物品１００における第１の経路と同じである。
第２の経路は、第１ガイドシート５０の上側から、重力に従って、第２ガイドシート７０の面の上側および流路を通って、クッション性帯状体６０の上を通過し、更に、外側へと移動する経路である。吸収体物品２００においては、第２ガイドシート７０を有するので、吸収体物品１００と比べて、第２の経路による移動が容易となっている。したがって、尿の拡散および吸収の速度がより優れる。
ここで、尿は、これらのような左右の移動とともに、尿道口ｍから排出された直後に第１ガイドシート５０の上側に一時的に貯留されている際や、第１ガイドシート５０の流路や第２ガイドシート７０の面の上側または流路を流れている際において、前後にも移動する。
袋部３０へと流れた尿は、吸収体４１に吸収される。吸収体４１の吸収速度を超える速度で尿が供給された場合は、吸収体４１に吸収されなかった尿が一旦袋部３０の中に貯留され、その後、吸収体４１に吸収されることとなる。
また、着用者の体位等により、尿の供給量が左右方向で大きく異なった場合、尿は吸収体４１をつたって左右方向へ移動して吸収体４１に吸収される。
【００６６】
本発明の吸収体物品２００は、図５（Ａ）に示されるように、体液受容領域の前側に前方への体液の漏洩を防止するための前方防漏部１１０を有している。
本発明の吸収体物品１００は、立位および座位では、前側が上、後側が下になるので、尿が体液受容領域の前側から漏れることはほとんどないが、横臥位および伏臥位においては、前側が下、後側が上になりうるので、尿が体液受容領域の前側から漏れるおそれがある。
本発明の吸収体物品２００における前方防漏部１１０は、尿が体液受容領域の前側から漏れることを防止する。
【００６７】
本発明の吸収体物品２００において、前方防漏部１１０は、袋部からなっている。図５（Ａ）に示される前方防漏部１１０は、二つの袋部３０の間の前方中央に突出している。前方防漏部１１０の開口部の上部の周縁は、二つの袋部３０の開口部の上部の周縁へと連なり、前方防漏部１１０の下部の周縁は、防漏体１０のシート部２０と一体化している。よって、前方防漏部１１０の内部は、二つの袋部３０の内部と連通している。
前方防漏部１１０の内部には、二つの袋部３０へ体液を移動させるためのガイドシートが配置されているのが好ましい。ガイドシートは、図５（Ａ）に示されるように、第１ガイドシート５０が延長されたものであってもよい。
【００６８】
袋部からなる前方防漏部１１０には、図５（Ａ）に示されるように、少なくとも１層の高吸水性樹脂を含有し体液を吸収しうる吸収体１１５が配置することができる。これにより、前方防漏部１１０に流れてきた尿を一時的に貯留して漏れを防止するだけでなく、吸収することができる。なお、本発明の吸収体物品においては、第１ガイドシートおよび任意に設けられる第２ガイドシートにより、排出された尿が速やかに拡散するため、袋部からなる前方防漏部１１０に吸収体１１５を特に設けなくてもよい。
吸収体１１５としては、上述した吸収体４０と同様のものを用いることができる。
【００６９】
袋部からなる前方防漏部１１０は、二つの袋部３０と同様に、その開口部の上部の周縁が上方に立ち上がるように配置されているのが好ましい。このような構造にすることにより、尿がより漏れにくくなる。
このように袋部からなる前方防漏部１１０の開口部の上部の周縁を上方に立ち上げる方法は、特に限定されず、例えば、周縁をギャザー状にする方法が好適に挙げられる。この場合、二つの袋部３０の周縁とは別にギャザー状になっていてもよく、図５（Ａ）に示されるように、二つの袋部３０の周縁から連続的にギャザー状になっていてもよい。
【００７０】
また、袋部からなる前方防漏部１１０は、二つの袋部３０と同様に、その開口部の上部の周縁の下側に、周縁部形態保持材を有するのが好ましい。周縁部形態保持材を有すると、尿がより漏れにくくなる。この場合、周縁部形態保持材は二つの袋部３０の周縁部形態保持材と別個のものであってもよく、二つの袋部３０の開口部の周縁部形態保持材９１が延長されたものであってもよい。
【００７１】
袋部からなる前方防漏部１１０は、その前側が上向きに持ち上がっているのが好ましい。このような構造にすると、前方防漏部１１０が着用者の体表面（恥丘のあたり）に密着しやすくなる。
また、袋部からなる前方防漏部１１０は、柔軟に構成されるのが、体表面に密着しやすくなる点で好ましい。
【００７２】
本発明の吸収体物品２００は、図５（Ａ）に示されるように、体液受容領域の後側に後方体液ストップ部材１２０を有している。後方体液ストップ部材１２０は、尿が体液受容領域の後側から漏れることを防止する。
後方体液ストップ部材１２０の材料としては、全体として液不透過性であれば特に限定されず、例えば、発泡体（例えば、ＰＵ、ＰＰ、ＰＰ／ＥＶＡ製）；発泡体を芯とし、周囲を親水性素材で被覆した材料；発泡体を芯とし、周囲を親水性素材で被覆し、更に、その周囲を不織布または体液不透過性シートで被覆した材料が挙げられる。体液不透過性シートで被覆する場合、体液不透過性シート７５を延長して被覆させることもできる。
【００７３】
図５（Ａ）に示される後方体液ストップ部材１２０は、棒状であり、体液受容領域の最後部に配置され、尿が後側から漏れることを防止して、両側の袋部３０へと流れるようにする。
後方体液ストップ部材１２０は、図５（Ａ）に示されるように、その両端部が二つの袋部３０の中まで延在していてもよい。また、後方体液ストップ部材１２０の両端部は、二つの袋部３０の中の任意の位置まで延在することができる。
【００７４】
＜クッション性帯状体等＞
図９は、本発明の吸収体物品の別の実施形態の作用を説明する模式的な斜視図である。なお、図９においては、吸収体物品の構成部材のうち、第１ガイドシート５０、クッション性帯状体６２、第２ガイドシート７０ならびに体液不透過性シート５５および７５のみを示している。
図９に示される実施形態は、図５に示される実施形態のクッション性帯状体６０をクッション性帯状体６２に置換したものである。二つのクッション性帯状体６２は、それぞれ前部、中部および後部の三つの部分に分かれており、前部と中部との間および中部と後部との間の空間は、尿が流れることができるような貫通路となっている。
図９に示される実施形態においては、第１ガイドシート５０の上側の中央部に排出された尿が、重力に従って、貫通路を通って、外側へと移動するという第３の経路を有するため、尿の吸収速度がより速くなる。
なお、図９に示される実施形態においては、クッション性帯状体６２が三つの部分に分かれているが、本発明においては、単にクッション性帯状体に貫通孔を設け、これを尿が流れる貫通路として機能させてもよい。
【００７５】
図１０は、本発明の吸収体物品の更に別の実施形態の作用を説明する模式的な斜視図である。なお、図１０においては、吸収体物品の構成部材のうち、第１ガイドシート５０、クッション性帯状体６４、第２ガイドシート７０ならびに体液不透過性シート５５および７７のみを示している。
図１０に示される実施形態は、図５に示される実施形態のクッション性帯状体６２をクッション性帯状体６４に置換し、更に、体液不透過性シート７５を体液不透過性シート７７に置換したものである。
二つのクッション性帯状体６４は、貫通路の位置が中央から遠い位置にずれている以外は、クッション性帯状体６２と同じである。
体液不透過性シート７７は、二つの体液不透過性シート７５が前後の両端で連結されて一体化し、かつ、前後の両端で折り返され、クッション性帯状体６４の前部および後部をそれぞれ被覆する形態となっている。
【００７６】
図１０に示される実施形態においては、体液受容領域の前側および後側が、体液不透過性シート７７によって被覆され、かつ、その付近にクッション性帯状体６４の貫通路が存在するため、体液受容領域の前側および後側に移動してきた尿が体液不透過性シート７７により止められ、貫通路へと流れるので、漏れがより生じにくくなっている。
なお、図１０に示される実施形態においては、体液受容領域の前側および後側が、第２ガイドシート７０の下側に積層されている体液不透過性シート７７により被覆されているが、本発明においては、第２ガイドシート７０の下側に積層されている体液不透過性シートとは別の体液不透過性シートにより被覆されていてもよい。
【００７７】
＜防漏体の開口＞
本発明の吸収体物品において、二つの袋部の開口部の上部の周縁により規定される開口（以下、単に「開口」という。）は、着用者の性器を受け入れ、尿を受容する。これらの機能を十分に発揮させるためには、開口の大きさ、形状等を以下のようにするのが好ましい。
図１１は、図１に示される本発明の吸収体物品の使用前および使用時の状態を示す模式図である。図１１（Ａ）は、図１（Ｂ）と同じであり、着用前における本発明の吸収体物品の模式的な横端面図である。図１１（Ｂ）は、図１１（Ａ）に示される吸収体物品の模式的な平面図である。図１１（Ｃ）は、着用時における、図１１（Ａ）に示される本発明の吸収体物品の模式的な横端面図である。図１１（Ｄ）は、図１１（Ｃ）に示される吸収体物品の模式的な平面図である。なお、図１１において、スキンコンタクトシート８０は省略してある。
本発明の吸収体物品は、着用前は、通常、図１１（Ａ）に示されるように、防漏体のシート部がほぼ平面状となっているが、着用時には、図１１（Ｃ）に示されるように、逆Ｖ字型に折り曲げられる。その結果、着用前の開口の左右方向の幅Ｐは、幅Ｐ′まで拡がる（図１１（Ｂ）および図１１（Ｄ）参照。）。また、図１に示される本発明の吸収体物品のように、二つの袋部が連結されている場合には、開口の前後方向の長さＱは、長さＱ′まで縮まる（図１１（Ｂ）および図１１（Ｄ）参照。）。
【００７８】
このような着用時における開口の変形を考慮すると、幅Ｐおよび長さＱの好適範囲は以下のようになる。
幅Ｐは、尿を受容するという点で５ｍｍ以上であるのが好ましく、性器を受け入れるという点で２５〜８０ｍｍであるのがより好ましい。
長さＱは、小陰唇を受け入れるという点で５０ｍｍ以上であるのが好ましく、７０ｍｍ以上であるのがより好ましい。また、恥丘の上側（前側）の陰毛の生え際から、肛門の手前までの長さを超えないという点で、２００ｍｍ以下であるのが好ましい。
開口の面積は、幅Ｐと長さＱとにより決定されるが、２．５ｃｍ2以上であるのが好ましく、１０〜５０ｃｍ2であるのがより好ましい。
【００７９】
開口の形状は、尿道口付近に相当する部分の幅が広く、後部が狭いのが好ましい。また、前部は広狭いずれも好ましい形状とすることができる。例えば、ほぼ楕円状、ほぼ菱形とすることができる。
図１２に好適な開口の形状の例を模式的に示す。図１２に示される開口は、その形状を二つの袋部３１の周縁部により規定されており、尿道口付近に相当する中央やや前側において幅が最も広くなっており、それより前および後においては、狭くなっている。幅は、最も広くなっている部分では、４５〜１００ｍｍであるのが好ましく、前部では０〜１５０ｍｍであるのが好ましく、後部では１０〜６０ｍｍであるのが好ましい。
【００８０】
一方、工業的生産を容易にするためには、開口の幅および長さを一定にするのが好ましい。
図１３に好適な開口の形状の他の例を模式的に示す。図１３に示される開口は、その形状を二つの袋部３２の周縁部と、前方体液ストップ部材１２１および後方体液ストップ部材１２０″とにより規定されており、その幅および長さは一定である。図１３においては、前方体液ストップ部材１２１および後方体液ストップ部材１２０″は、二つの袋部３２と連結されており、二つの袋部３２を緩やかに拘束している。
図１３における開口は、例えば、長さが２００ｍｍ程度である場合、幅が３０ｍｍ程度であると、着用時には開口の中央部が６０ｍｍ程度まで拡がるので、好ましい。
【００８１】
＜周縁部形態保持材＞
上述したように、本発明の吸収体物品は、周縁部形態保持材を有するのが好ましい。その配置は特に限定されない。
図１４は、本発明の吸収体物品の他の例を示す模式的な平面図である。なお、図１４（Ａ）〜図１４（Ｄ）においては、本発明の吸収体物品の構成部材のうち、防漏体および周縁部形態保持材のみを示している。
図１４（Ａ）に示される吸収体物品３００においては、防漏体１１の二つの袋部がその前部および後部において連結されてほぼ楕円形の開口を形成しており、その開口の周縁部の全周にわたって周縁部形態保持材９２が配置されている。このように、二つの袋部の開口部の上部の周縁の少なくとも一部と、防漏体の二つの袋部の間の前側および後側を被覆する体液不透過性シートの上部の周縁の少なくとも一部とに、周縁部形態保持材を有するのは、本発明の好ましい態様の一つである。
図１４（Ｂ）に示される吸収体物品３０１においては、防漏体１２の二つの袋部がその前部および後部において連結されてほぼ長方形の開口を形成しており、その開口の周縁部の左右の部分に周縁部形態保持材９３が配置されている。
図１４（Ｃ）に示される吸収体物品３０２においては、防漏体１３の二つの袋部がその後部において連結されて長方形の開口を形成しており、その開口の周縁部の左右の部分に周縁部形態保持材９４が配置されている。このような態様は、例えば、前方防漏部が存在する場合に好適に用いられる。
図１４（Ｄ）に示される吸収体物品３０３においては、防漏体１４の二つの袋部がその前部および後部において連結されて三角形の開口を形成しており、その開口の周縁部の左右の二辺の部分にＶ字型に周縁部形態保持材９５が配置されている。
【００８２】
図１５は、周縁部形態保持材の種々の配置を表す模式的な端面図である。なお、図１５（Ａ）〜図１５（Ｄ）においては、本発明の吸収体物品の構成部材のうち、防漏体の袋部および周縁部形態保持材のみを示している。
周縁部形態保持材は、図１５（Ａ）に示される周縁部形態保持材９６のように、防漏体の袋部３３の開口部の上部の周縁の上側に設けられていてもよく、図１５（Ｂ）に示される周縁部形態保持材９７のように、防漏体の袋部３３の開口部の上部の周縁の上側から下側にまたがるかたちで設けられていてもよく、図１５（Ｃ）に示される周縁部形態保持材９８のように、防漏体の袋部３３の開口部の上部の周縁の下側に設けられていてもよい。
また、図１５（Ｄ）に示される態様は、図１５（Ｃ）に示される周縁部形態保持材９８とは別に、周縁部からやや外側に立ち上がるように周縁部形態保持材９９を設けたものである。
なお、これらを組み合わせて用いることもできる。例えば、開口の前部および後部において、図１５（Ｃ）に示されるような周縁の下側に設けられ、開口の中央部において、図１５（Ａ）に示されるような周縁の上側に設けられた周縁部形態保持材が挙げられる。
図１５（Ｃ）に示されるように、周縁部形態保持材の少なくとも一部が周縁の下側にあると、開口の周縁部とクッション性帯状体または第２ガイドシートとの間隔を広くすることができる点で好ましい。
【００８３】
図１６は、着用時の開口の周縁部の種々の状態を示す模式的な端面図である。図１６（Ａ）に示される吸収体物品４００は、周縁部形態保持材９０を有しない以外は、図５に示される吸収体物品２００と同様である。図１６（Ｂ）〜図１６（Ｄ）に示される吸収体物品２００は、図５に示される吸収体物品２００と同じである。図１６においては、スキンコンタクトシート８０は省略してある。
図１６（Ａ）に示される吸収体物品４００は、周縁部形態保持材を有さず、周縁部が立ち上がっていない。吸収体物品４００は、尿道口ｍおよび小陰唇ｌと接触しておらず、大陰唇Ｌの中央部付近に周縁部が位置している。この態様においては、開口の周縁部と第２ガイドシート７０との間隔が狭く、かつ、周縁部と大陰唇Ｌとの密着性が小さいので、第２ガイドシート７０の上を流れて袋部３０へと至る経路の途中で、尿が外に漏れるおそれがある。
図１６（Ｂ）および図１６（Ｃ）に示される吸収体物品２００は、周縁部形態保持材９１を有しており、周縁部が立ち上がっている。吸収体物品２００は、尿道口ｍおよび小陰唇ｌと接触しておらず、大陰唇Ｌの外側に周縁部が位置している。この態様においては、開口の周縁部と第２ガイドシート７０との間隔が広く、かつ、周縁部と大陰唇Ｌとの密着性が高いので、第２ガイドシート７０の上を流れて袋部３０へと至る経路の途中で、尿が外に漏れるおそれが極めて小さい。中でも、図１６（Ｂ）に示される状態がより好ましい。
図１６（Ｄ）に示される吸収体物品２００は、周縁部形態保持材９１を有しており、周縁部が外側に反り返っている。吸収体物品２００は、尿道口ｍおよび小陰唇ｌと接触しておらず、大陰唇Ｌの外側に周縁部が位置している。この態様においては、開口の周縁部と第２ガイドシート７０との間隔が広いので、第２ガイドシート７０の上を流れて袋部３０へと至る経路の途中で、尿が外に漏れるおそれが小さい。また、この態様は、周縁部が外側に反り返っているため、体表面との密着性が極めて高い。
【００８４】
＜前方防漏部および後方体液ストップ部材＞
上述したように、着用者が立位および座位で吸収体物品を使用する際には、排出された体液は重力に従って、左右の袋部に比較的安定的に移動し、吸収されるが、仰臥位、横臥位および伏臥位においては、尿が体液受容領域の前側から漏れるおそれがある。特に、横臥位および伏臥位においては、前側から漏れやすく、仰臥位においては、後側から漏れやすい。そこで、前方防漏部および後方体液ストップ部材を設けるのが好ましい。
【００８５】
前方防漏部としては、上述した吸収体物品２００のように、袋部により構成されたものであってもよいが、後方体液ストップ部材と同様の前方体液ストップ部材により構成されたものであってもよく、両者を組み合わせたものであってもよい。
前方防漏部が袋部と前方体液ストップ部材との組み合わせからなると、伏臥位等において、尿が前側へ勢いよく大量に流れ出した場合に、前方体液ストップ部材が尿の勢いを小さくし、これにより袋部へ移動する尿の量および速度を抑制される。また、伏臥位において、着用者の体重により袋部が押しつぶされないようにして、袋部の内部の空間を確保する機能も奏する。したがって、前方体液ストップ部材としては、クッション性材料を用いるのが好ましい。
【００８６】
図１７は、前方体液ストップ部材および後方体液ストップ部材の種々の形状を表す模式図である。図１７（Ａ）〜図１７（Ｆ）は平面図、図１７（Ａ′）〜図１７（Ｆ′）は左側面図、図１７（Ａ″）〜図１７（Ｆ″）は正面図である。以下、後方体液ストップ部材を例に挙げて説明するが、いずれも前方体液ストップ部材にも適用可能である。
図１７（Ａ）に示される後方体液ストップ部材１２０は、その左側面が図１７（Ａ′）に、その正面が図１７（Ａ″）に示されている。以下同様である。
図１７に示されるように、後方体液ストップ部材として用いられる部材の形状は、特に限定されず、ロット状、棒状、ブロック状、これらを組み合わせた形状等とすることができる。
ここで、後方体液ストップ部材は、着用者の会陰部付近に位置するため、会陰部に密着するような形状が好ましい。具体的には、例えば、図１７（Ｃ）、図１７（Ｄ）、図１７（Ｅ）、図１７（Ｆ）のように、中央部が厚く、両側が薄い形状が好ましい。厚さは２〜２５ｍｍとするのが好ましい。上記範囲であると、会陰部の窪みに沿うため密着性が優れたものとなり、かつ、クッション性帯状体の着用者への密着性に影響を与えることがない。
【００８７】
図１８は、前方体液ストップ部材および後方体液ストップ部材の種々の構造を表す模式図である。以下、後方体液ストップ部材を例に挙げて説明するが、いずれも前方体液ストップ部材にも適用可能である。
図１８（Ａ）は図５（Ａ）に示される後方体液ストップ部材１２０の正面図の一例であり、図１８（Ａ′）はその中心を通る縦断面図の一例である。
図１８（Ａ）に示される後方体液ストップ部材１２０は、芯がウレタンフォーム１２２からなり、その周囲が親水性素材１２４で被覆され、更に、その周囲のほぼ上半分が不織布１２６で被覆されている。ウレタンフォーム１２２の左右方向の長さは、親水性素材１２４の長さのおよそ２／３である。
また、図１８（Ｂ）は、図１８（Ａ）で表される部材を左右に延長した形状の後方体液ストップ部材１２０′の正面図である。図１８（Ｂ）に示される後方体液ストップ部材１２０′は、芯がウレタンフォーム１２２′からなり、その周囲が親水性素材１２４′で被覆され、更に、その周囲のほぼ上半分が不織布１２６′で被覆されている。ウレタンフォーム１２２の左右方向の長さは、親水性素材１２４の長さのおよそ１／３である。
このように、表面に親水性素材を用いることにより、尿を左右の袋部へ移動させる機能を持たせることもできる。
【００８８】
図１９は、前方体液ストップ部材および開口の種々の形状を表す模式図である。図１９（Ａ）〜図１９（Ｆ）は平面図、図１９（Ｇ）、図１９（Ｈ）および図１９（Ｉ）は端面図である。
前方体液ストップ部材は、図１９（Ａ）〜図１９（Ｆ）に示される前方体液ストップ部材１３１〜１３６のように、種々の形状とすることができる。また、開口も、図１９（Ａ）〜図１９（Ｆ）に示される開口１３１′〜１３６′のように、種々の形状とすることができる。前方体液ストップ部材および開口の形状の組み合わせは、特に限定されない。
また、前方体液ストップ部材は、図１９（Ｇ）に示される前方体液ストップ部材１３７のように、防漏体の袋部３４の開口部の上部の周縁の上側に設けられていてもよく、図１９（Ｈ）に示される前方体液ストップ部材１３８のように、防漏体の袋部３４の開口部の上部の周縁の上側から下側にまたがるかたちで設けられていてもよく、図１９（Ｉ）に示される前方体液ストップ部材１３９のように、防漏体の袋部３４の開口部の上部の周縁の下側に設けられていてもよい。
【００８９】
なお、後方体液ストップ部材は、例えば、図５（Ａ）に示されるように、開口の後部を横切るように配置されていてもよく、開口の後部から二つの袋部の周縁に沿って配置されていてもよい。
後方体液ストップ部材は、前方体液ストップ部材と同様に、防漏体の袋部の開口部の上部の周縁の上側に設けられていてもよく、防漏体の袋部の開口部の上部の周縁の上側から下側にまたがるかたちで設けられていてもよく、防漏体の袋部の開口部の上部の周縁の下側に設けられていてもよい。
【００９０】
前方体液ストップ部材および後方体液ストップ部材は、いずれも周縁部形態保持材としての機能を併せ持っていてもよい。
【００９１】
＜便処理部＞
本発明の吸収体物品は、更に、便処理部を有するのが好ましい態様の一つである。
図２０は、便処理部を有する本発明の吸収体物品の種々の例の模式的な平面図である。
図２０（Ａ）に示される吸収体物品１０１は、図１に示される吸収体物品１００に、更に、便処理部１４０を設けたものである。便処理部１４０は、従来公知のおむつと同様の構成とすることができる。吸収体物品１０１においては、尿は前身頃部分で、便は後身頃部分の便処理部１４０で、完全に分離して処理する。
【００９２】
図２０（Ｂ）に示される吸収体物品１０２は、図１に示される吸収体物品１００に、便処理部１４１を設けたものである。便処理部１４１は、図２０（Ａ）に示される便処理部１４０の前端部を股下部まで延長し、体液受容領域の後端部を下面から受ける構造を有する。吸収体物品１０２においては、尿は前身頃部分で、便は後身頃部分の便処理部で処理するが、着用者の体位等により尿が一部前身頃部分から漏れた場合に、便処理部１４１で処理することができる。
【００９３】
図２０（Ｃ）に示される吸収体物品１０３は、図１に示される吸収体物品１００に、便処理部１４２を設けたものである。便処理部１４２は、図２０（Ａ）に示される便処理部１４０の前端部を前身頃部分まで延長し、防漏体１０の全面を下面から受ける構造を有する。吸収体物品１０３においては、尿は前身頃部分で、便は後身頃部分の便処理部で処理するが、着用者の体位等により尿が一部前身頃部分から漏れた場合に、便処理部１４２で処理することができる。
【００９４】
以上、本発明の吸収体物品を図示の各実施形態に基づいて説明したが、本発明は、これらに限定されるものではなく、例えば、各部の構成は、同様の機能を発揮しうる任意の構成と置換することができる。具体的には、例えば、防漏体の袋部、クッション性帯状体、第２ガイドシート等の二つずつ存在する部材は、いずれも左右の部材が連結されて一つの部材からなっていてもよい。
【実施例】
【００９５】
以下に、実施例を示して本発明を具体的に説明する。ただし、本発明はこれらに限られるものではない。
以下のようにして、本発明の吸収体物品および市販の吸収体物品を用いて、着用試験を行った。
１．吸収体物品
実施例としては、図５に示される本発明の吸収体物品を用いた。吸収体としては、ＳＡＰの分散スラリーを不織布の上にコーティングする方法で得られる高吸水性シート（（株）日本吸収体技術研究所製のＭｅｇａＴｈｉｎ（登録商標）、ＳＡＰ目付量２００ｇ／ｍ2）を用いた。
吸収体物品の各袋部における設計容積（最大容積）、高吸水性シートの含有量、設計脱水吸収量および設計自由吸収量を第１表に示す。なお、設計脱水吸収量および設計自由吸収量は、ＪＩＳ  Ｋ７２２３−１９９６の「高吸水性樹脂の吸収量試験方法」の規定に準じて行った。
【００９６】
【表１】
0004635126.tif 000002
【００９７】
一方、比較例としては、市販の吸収体物品である女性用尿吸収ライナー（チャームナップさわやかライナー長時間安心用、ユニ・チャーム社製）を用いた。その仕様を第２表に示す。
【００９８】
【表２】
0004635126.tif 000003
【００９９】
２．着用試験
着用者として、正常な排尿機能を持つ５人の日本人の女性健常者（年齢２８才、３０才、４２才、５７才および６４才）に、上記実施例および比較例の吸収体物品を着用させた。その後、着用者に、立位、座位、伏臥位、仰臥位および横臥位の各体位を維持させ、尿漏れが発生するまで着用を続けさせた。
尿漏れが発生した時点（したがって、排尿回数は問わない。）で、吸収体物品を取り外させ、尿の吸収量を測定した。５人の平均吸収量を第３表に示す。
【０１００】
【表３】
0004635126.tif 000004
【０１０１】
第３表から明らかなように、実施例の吸収体物品は、比較例の吸収体物品に比べて、吸収体の含有量が約半分程度であるにもかかわらず、尿漏れ発生までの吸収量が２倍以上であった。特に、伏臥位、仰臥位および横臥位においては、尿漏れ発生までの吸収量が３倍程度であった。
また、実施例の吸収体物品は、立位および座位においては、設計自由吸収量に近い吸収量を示し、伏臥位、仰臥位および横臥位においても、設計脱水吸収量を超える吸収量を示した。
【図面の簡単な説明】
【０１０２】
【図１】本発明の吸収体物品の例を示す模式図である。
【図２】凸部の全部に開孔を有する開孔凹凸シート部材の例を示す模式的な斜視図である。
【図３】クッション性帯状体の例を示す模式的な斜視図である。
【図４】本発明の吸収体物品の作用を説明する模式図である。
【図５】本発明の吸収体物品の他の例を示す模式図である。
【図６】溝状構造を有するシート部材の例を示す模式的な斜視図である。
【図７】凹凸シート部材の例を示す模式的な斜視図である。
【図８】図５に示される実施形態の吸収体物品の作用を説明する模式図である。
【図９】本発明の吸収体物品の別の実施形態の作用を説明する模式的な斜視図である。
【図１０】本発明の吸収体物品の更に別の実施形態の作用を説明する模式的な斜視図である。
【図１１】図１に示される本発明の吸収体物品の使用前および使用時の状態を示す模式図である。
【図１２】好適な開口の形状の例を示す模式図である。
【図１３】好適な開口の形状の他の例を示す模式図である。
【図１４】本発明の吸収体物品の他の例を示す模式的な平面図である。
【図１５】周縁部形態保持材の種々の配置を表す模式的な端面図である。
【図１６】着用時の開口の周縁部の種々の状態を示す模式的な端面図である。
【図１７】前方体液ストップ部材および後方体液ストップ部材の種々の形状を表す模式図である。
【図１８】前方体液ストップ部材および後方体液ストップ部材の種々の構造を表す模式図である。
【図１９】前方体液ストップ部材および開口の種々の形状を表す模式図である。
【図２０】便処理部を有する本発明の吸収体物品の種々の例の模式的な平面図である。
【符号の説明】
【０１０３】
１０、１１、１２、１３、１４  防漏体
２０  シート部
３０、３１、３２、３３、３４  袋部
４０、４１、１１５  吸収体
５０  第１ガイドシート
５１、７４  突起
５２  開孔
５５、７５、７７  体液不透過性シート
６０、６２、６４  クッション性帯状体
７０  第２ガイドシート
７１  シート部材
７２  溝状構造
７３  凹凸シート部材
８０  スキンコンタクトシート
９０、９１、９２、９３、９４、９５、９６、９７、９８、９９  周縁部形態保持材
１００、１０１、１０２、１０３、２００、３００、３０１、３０２、３０３、４００
吸収体物品
１１０  前方防漏部
１２０、１２０′、１２２″  後方体液ストップ部材
１２１、１３１、１３２、１３３、１３４、１３５、１３６、１３７、１３８、１３９
前方体液ストップ部材
１２２、１２２′  ウレタンフォーム
１２４、１２４′  親水性素材
１２６、１２６′  不織布
１３１′、１３２′、１３３′、１３４′、１３５′、１３６′  開口
１４０、１４１、１４２  便処理部
ｍ  尿道口
ｌ  小陰唇
Ｌ  大陰唇
【図１】
0004635126.tif 000005
【図２】
0004635126.tif 000006
【図３】
0004635126.tif 000007
【図４】
0004635126.tif 000008
【図５】
0004635126.tif 000009
【図６】
0004635126.tif 000010
【図７】
0004635126.tif 000011
【図８】
0004635126.tif 000012
【図９】
0004635126.tif 000013
【図１０】
0004635126.tif 000014
【図１１】
0004635126.tif 000015
【図１２】
0004635126.tif 000016
【図１３】
0004635126.tif 000017
【図１４】
0004635126.tif 000018
【図１５】
0004635126.tif 000019
【図１６】
0004635126.tif 000020
【図１７】
0004635126.tif 000021
【図１８】
0004635126.tif 000022
【図１９】
0004635126.tif 000023
【図２０】
0004635126.tif 000024